(57)【要約】【課題】自身の受信レベルを確認しながら無線通信装置の据付調整作業を行い、高信頼性で１人で据付調整作業が可能なエレベータの無線通信システムを得る。【解決手段】各無線通信装置８、９に設けられた表示装置を備え、第１の無線通信装置８は、第１の無線通信装置８で確認可能な第２の無線通信装置９からの受信レベルを第２の無線通信装置９に送信し、第２の無線通信装置９は、第２の無線通信装置９で確認可能な第１の無線通信装置８からの受信レベルを第１の無線通信装置８に送信し、無線通信装置８、９の各表示装置は、各無線通信装置８、９から送信された受信レベルを表示させ、相手側および自身側の両方の受信レベルを表示する。【選択図】        図１
2004292153.tif 000002
【特許請求の範囲】
【請求項１】
エレベータ昇降路に設けられたエレベータ制御盤側の第１の無線通信装置と、エレベータかごに設けられたかご機器用の第２の無線通信装置との間で相互通信するエレベータの無線通信システムであって、
前記第１および第２の無線通信装置の各々に設けられた表示装置を備え、
前記第１の無線通信装置は、前記第１の無線通信装置で確認可能な前記第２の無線通信装置からの受信レベルを前記第２の無線通信装置に送信し、
前記第２の無線通信装置は、前記第２の無線通信装置で確認可能な前記第１の無線通信装置からの受信レベルを前記第１の無線通信装置に送信し、
前記第１および第２の無線通信装置の各表示装置は、前記第１および第２の無線通信装置から送信された受信レベルを表示することを特徴とするエレベータの無線通信システム。
【請求項２】
前記第１および第２の無線通信装置は、それぞれ、相手側受信レベルおよび自身側受信レベルを識別する受信レベル識別手段を備え、
前記受信レベル識別手段は、前記相手側受信レベルおよび前記自身側受信レベルに応じた表示指令を出力し、
前記第１および第２の無線通信装置の各表示装置は、前記表示指令により駆動される相手側受信レベル表示デバイスおよび自身側受信レベル表示デバイスを含むことを特徴とする請求項１に記載のエレベータの無線通信システム。
【発明の詳細な説明】
【０００１】
【発明の属する技術分野】
この発明は、エレベータ昇降路およびエレベータかごの各々に設けられたエレベータ制御盤２側およびかご機器側の無線通信装置の間で相互通信するエレベータの無線通信システムに関し、特に各無線通信装置に自身の受信レベルを表示可能な表示装置を設けることにより、作業員による受信レベルの確認を容易にしたエレベータの無線通信システムに関するものである。
【０００２】
【従来の技術】
一般に、エレベータの無線通信装置の据付調整作業においては、エレベータ制御盤２側およびかご機器側の各無線通信装置の間で相互通信して受信レベルを表示するために無線通信システムが用いられている。
従来のエレベータの無線通信システムにおいては、各無線通信装置に相手側の受信レベルのみが表示されているので、自身の無線通信装置の受信レベルを把握するためには、相手側の無線通信装置にもう１人の据付作業員を配置して、別の据付作業員から自身の無線通信装置の受信レベルを伝達してもらうことにより、各無線通信装置の据付位置を調整している（たとえば、特許文献１参照）。
【０００３】
【特許文献１】
特開昭６３−３０００８４号公報
【０００４】
【発明が解決しようとする課題】
従来のエレベータの無線通信システムは以上のように、各無線通信装置の受信レベルが受信側にのみに表示されているので、無線通信装置の据付調整時に送受信両側に据付作業員を各々配置して、受信側の据付作業員が送信側の据付作業員に受信レベルを伝達することにより、送信側作業員が送信側の無線通信装置を調整しているので、据付作業員が２名必要になるうえ、送受信を入換えて上記作業を交互に行う必要があり、コストアップを招くという問題点があった。
また、受信レベルの伝達も、作業員が直接見るのに比べて不正確であり、信頼性が低いという問題点があった。
【０００５】
この発明は上記のような問題点を解決するためになされたもので、各無線通信装置に相手側および自身側の両方の受信レベルを表示する表示装置を設けることにより、自身の受信レベルを確認しながら無線通信装置の据付調整作業を行うことができ、信頼性を損なうことなく、１人で無線通信装置の据付調整作業を行うことのできるエレベータの無線通信システムを得ることを目的とする。
【０００６】
【課題を解決するための手段】
この発明に係るエレベータの無線通信システムは、エレベータ昇降路に設けられたエレベータ制御盤側の第１の無線通信装置と、エレベータかごに設けられたかご機器用の第２の無線通信装置との間で相互通信するエレベータの無線通信システムであって、第１および第２の無線通信装置の各々に設けられた表示装置を備え、第１の無線通信装置は、第１の無線通信装置で確認可能な第２の無線通信装置からの受信レベルを第２の無線通信装置に送信し、第２の無線通信装置は、第２の無線通信装置で確認可能な第１の無線通信装置からの受信レベルを第１の無線通信装置に送信し、第１および第２の無線通信装置の各表示装置は、第１および第２の無線通信装置から送信された受信レベルを表示するものである。
【０００７】
【発明の実施の形態】
実施の形態１．
以下、図面を参照しながら、この発明の実施の形態１について詳細に説明する。
図１はこの発明の実施の形態１をブロック構成とともに概略的に示す側面図であり、無線通信装置の据付調整作業時の状態を示している。
図１において、エレベータ機械室１には、エレベータ制御盤２と、巻上機３とが設けられている。
【０００８】
エレベータ昇降路４内には、エレベータかご５が昇降自在に配置されている。
エレベータかご５は、巻上機３を介したロープ７の一端に連結されており、ロープ７の他端には釣合い重り６が連結されている。
エレベータ昇降路４の頂部には、表示装置を有するエレベータ制御盤２側の無線通信装置８が設置され、同様に、エレベータかご５の上部には、表示装置を有するかご機器側の無線通信装置９が設置されている。
【０００９】
この場合、エレベータかご５の上には、各無線通信装置８、９の据付位置を調整するための据付作業員１０が配備されている。
第１の無線通信装置８は、第１の無線通信装置８で確認可能な第２の無線通信装置９からの受信レベルを第２の無線通信装置９に送信し、第２の無線通信装置９は、第２の無線通信装置９で確認可能な第１の無線通信装置８からの受信レベルを第１の無線通信装置８に送信するようになっている。これにより、無線通信装置８、９の各表示装置は、各無線通信装置８、９から送信された受信レベルを表示させ、相手側および自身側の両方の受信レベルを表示可能になっている。
【００１０】
図２はエレベータ制御盤２側の無線通信装置８の具体例を示すブロック構成図である。この場合、かご機器側の無線通信装置９の構成も同様なので、代表的にエレベータ制御盤２側の無線通信装置８のみを示している。
図２において、無線通信装置８は、Ｉ／Ｆ回路１２と、Ｉ／Ｆ回路１２に接続された変／復調回路１３と、相手側の受信レベルを表示する相手側受信レベル表示デバイス１４と、自身側の受信レベルを表示する自身側受信レベル表示デバイス１５と、Ｉ／Ｆ回路１２に接続されて相手側および自身側の受信レベルを識別する受信レベル識別手段１６とを備えている。
この場合、表示装置は、相手側受信レベル表示デバイス１４と、自身側受信レベル表示デバイス１５とにより構成されている。
【００１１】
受信レベル識別手段１６は、受信レベル識別機能を有するＣＰＵ１６ａと、ＣＰＵ１６ａに属するＲＯＭ１６ｂおよびＲＡＭ１６ｃとを備えている。
Ｉ／Ｆ回路１２は、エレベータ制御盤２（エレベータかご５およびかご機器）との間で通信を行うためのものである。
【００１２】
変／復調回路１３は、Ｉ／Ｆ回路１２からの入力信号を変調して、かご機器側の無線通信装置９に出力するとともに、かご機器側の無線通信装置９からの入力信号を復調してＩ／Ｆ回路１２に出力するようになっている。
相手側受信レベル表示デバイス１４および自身側受信表示デバイス１５は、受信レベル識別手段１６からの表示指令に基づいて、自身側および相手側の受信レベルをそれぞれ個別に表示する。
【００１３】
ＣＰＵ１６ａ、ＲＯＭ１６ｂおよびＲＡＭ１６ｃにより構成された受信レベル識別手段１６は、かご機器側の無線通信装置９から送信されてくるエレベータ制御信号の受信レベルを識別して、相手側受信レベル表示デバイス１４に表示指令を出力する。
また、受信レベル識別手段１６は、かご機器側の無線通信装置９から送信されてきた信号の受信レベルを、無線通信装置８を使用して、かご機器側の無線通信装置９に送信する。
【００１４】
さらに、受信レベル識別手段１６は、エレベータ制御盤２側の無線通信装置８から送信された信号の受信レベルが、かご機器側の無線通信装置９から送信されてくると、この受信レベルを抜粋して表示させるために、自身側受信レベル表示デバイス１５に対して表示指令を出力する。
【００１５】
次に、図１および図２とともに、図３を参照しながら、この発明の実施の形態１による動作について説明する。
図３は受信レベル識別手段１６の処理手順を示すフローチャートであり、エレベータ制御盤２側の無線通信装置８における各表示デバイス１４、１５の識別動作を示している。
図３において、まず、電源投入時に、受信レベル識別手段１６は、相手側受信レベル表示デバイス１４および自身側受信レベル表示デバイス１５に対して、初期値の受信レベル表示指令を出力し、初期値を表示させる（ステップＳ１）。
【００１６】
続いて、受信レベル識別概能１６は、かご機器側の無線通信装置９から送信されたエレベータ制御信号の受信レベルを識別し、ＲＡＭ１６ｃに記憶させる（ステップＳ２）。
また、受信レベル識別手段１６は、かご機器側の無線通信装置９の受信レベルを、無線通信装置８を使用してかご機器側の無線通信装置９に送信する（ステップＳ３）。
【００１７】
次に、受信レベル識別手段１６は、相手側受信レベル表示デバイス１４に対して表示指令を出力し、ＲＡＭ１６ｃに記憶されたかご機器側の無線通信装置９の受信レベルを、相手側受信レベル表示デバイス１４に表示させる（ステップＳ４）。
また、受信レベル識別手段１６は、かご機器側の無線通信装置９から送信されたエレベータ制御盤２側の無線通信装置８の受信レベルを、ＲＡＭ１６ｃに記憶させる（ステップＳ５）。
【００１８】
最後に、受信レベル識別手段１６は、自身側受信レベル表示デバイス１５に対して表示指令を出力し、ＲＡＭ１６ｃに記憶されたエレベータ制御盤２側の無線通信装置８の受信レベルを、自身側受信レベル表示デバイス１５に表示させ（ステップＳ６）、図３の処理ルーチンを終了する。
すなわち、ステップＳ６の実行が完了すると、ステップＳ１に戻り、同様の動作を、電源が遮断されるまで繰返し実行する。
【００１９】
上記処理動作は、かご機器側の無線通信装置９においても同様に実行され、相手側および自身側の受信レベルが表示デバイスに表示される。
このように、各無線通信装置８、９に、相手側および自身側の両方の受信レベルを表示する表示装置を設けることにより、各無線通信装置８、９の一方において、自身側の受信レベルを確認しながら各無線通信装置８、９の据付調整作業を行うことができるので、１人の据付作業員１０で各無線通信装置８、９の据付調整作業を行うことができる。
また、据付作業員１０は、表示装置を参照して受信レベルを直接確認することができるので、受信レベルを認識する場合の信頼性が向上し、据付調整作業の信頼性も向上する。
【００２０】
【発明の効果】
以上のように、この発明によれば、エレベータ昇降路に設けられたエレベータ制御盤側の第１の無線通信装置と、エレベータかごに設けられたかご機器用の第２の無線通信装置との間で相互通信するエレベータの無線通信システムであって、第１および第２の無線通信装置の各々に設けられた表示装置を備え、第１の無線通信装置は、第１の無線通信装置で確認可能な第２の無線通信装置からの受信レベルを第２の無線通信装置に送信し、第２の無線通信装置は、第２の無線通信装置で確認可能な第１の無線通信装置からの受信レベルを第１の無線通信装置に送信し、第１および第２の無線通信装置の各表示装置は、第１および第２の無線通信装置から送信された受信レベルを表示させることにより、各無線通信装置に相手側および自身側の両方の受信レベルを表示するようにしたので、自身の受信レベルを確認しながら無線通信装置の据付調整作業を行うことができ、信頼性を損なうことなく、１人で無線通信装置の据付調整作業を行うことのできるエレベータの無線通信システムが得られる効果がある。
【図面の簡単な説明】
【図１】この発明の実施の形態１を概略的に示す側面図である。
【図２】この発明の実施の形態１による無線通信装置の具体例を示すブロック構成図である。
【図３】この発明の実施の形態１による処理動作を示すフローチャートである。
【符号の説明】
２  エレベータ制御盤、４  エレベータ昇降路、５  エレベータかご、８  エレベータ制御盤側の無線通信装置（第１の無線通信装置）、９  かご機器側の無線通信装置（第２の無線通信装置）、１０  据付作業員、１２  Ｉ／Ｆ回路、１３  変／復調回路、１４  相手側受信レベル表示デバイス、１５  自身側受信レベル表示デバイス、１６  受信レベル識別手段。
【図１】
2004292153.tif 000003
【図２】
2004292153.tif 000004
【図３】
2004292153.tif 000005